(57)【特許請求の範囲】
【請求項１】
定期券を印刷発行する定期券発行装置において、
帯状の転写媒体を印刷部へ送る転写媒体送り手段と、
この転写媒体送り手段により送られ前記印刷部を通過した前記転写媒体を受取る転写媒体受取手段と、
前記印刷部において、前記転写媒体上に対して接離自在に設けられ、印刷時に前記転写媒体を介して定期券としての被転写媒体上に接触して、前記転写媒体の転写剤を前記被転写媒体上に転写することにより、所定の券面情報を印刷する印刷ヘッドと、
前記転写媒体送り手段により送られる前記転写媒体の送り方向に対する直交方向で、前記転写媒体の両端部内側と対応する各部位にそれぞれ設けられ、前記転写媒体の両端部の位置に応じた信号を出力する２つの第１のセンサと、
この２つの第１のセンサの手前側に設けられ、前記転写媒体が存在するか否かを検出する１つの第２のセンサと、
前記２つの第１のセンサおよび前記１つの第２のセンサの各出力に基づき前記転写媒体の送り方向に対する直交方向の位置ずれを検出する検出手段と、
前記転写媒体を空送りする空送り量をあらかじめ記憶している空送り量記憶手段と、
前記検出手段により前記転写媒体の位置ずれが検出されると、前記印刷ヘッドを前記転写媒体上から離間させるとともに、その後、前記空送り量記憶手段に記憶されている空送り量だけ前記転写媒体を空送りするように前記転写媒体送り手段および転写媒体受取手段を制御する制御手段と、
を具備したことを特徴とする定期券発行装置。
【請求項２】
定期券を印刷発行する定期券発行装置において、
帯状の転写媒体を印刷部へ送る転写媒体送り手段と、
この転写媒体送り手段により送られ前記印刷部を通過した前記転写媒体を受取る転写媒体受取手段と、
前記印刷部において、前記転写媒体上に対して接離自在に設けられ、印刷時に前記転写媒体を介して定期券としての被転写媒体上に接触して、前記転写媒体の転写剤を前記被転写媒体上に転写することにより、所定の券面情報を印刷する印刷ヘッドと、
前記転写媒体送り手段により送られる前記転写媒体の送り方向に対する直交方向で、前記転写媒体の両端部内側と対応する各部位にそれぞれ設けられ、前記転写媒体の両端部の位置に応じた信号を出力する２つの第１のセンサと、
この２つの第１のセンサの手前側に設けられ、前記転写媒体が存在するか否かを検出する１つの第２のセンサと、
前記２つの第１のセンサおよび前記１つの第２のセンサの各出力に基づき前記転写媒体の送り方向に対する直交方向の位置ずれを検出する検出手段と、
この検出手段により前記転写媒体の位置ずれが検出されると、前記印刷ヘッドを前記転写媒体上から離間させるとともに、その後、前記転写媒体を前記検出手段が位置ずれを検出しなくなるまで空送りするように前記転写媒体送り手段および転写媒体受取手段を制御する制御手段と、
を具備したことを特徴とする定期券発行装置。
【発明の詳細な説明】
【０００１】
【産業上の利用分野】
本発明は、たとえば、鉄道機関などにおいて定期券を印刷発行する定期券発行装置に関する。
【０００２】
【従来の技術】
一般に、この種の定期券発行装置にあっては、帯状の転写媒体である転写リボンを印刷部へ送り、この印刷部を通過した転写リボンを巻取軸に巻取るとともに、上記印刷部において、印刷ヘッド（サーマルヘッド）を転写リボンを介して被転写媒体としての用紙上に接触させ、転写リボンのインク（転写剤）を用紙上に熱転写することにより、文字などの情報を印刷するようになっている。
【０００３】
【発明が解決しようとする課題】
しかし、この種の定期券発行装置にあっては、転写リボンの送り方向に対する直交方向の位置ずれが生じる場合がある。従来、このような転写リボンの位置ずれが生じても、これを検知し、さらには、これを解除する手段を有していなかった。したがって、従来は、実際に印刷動作を行ない、その印刷結果を目視して、転写リボンの位置ずれがないことを確認しており、転写リボンの位置ずれが生じていた場合は、係員が手で転写リボンの位置ずれを修正するという作業を必要とした。このため、たとえば、定期券発行装置の場合、印刷状態の悪い定期券を気づかずに発行してしまったり、また、転写リボンの位置ずれの修正のために時間をとられるため、機器の稼働率に影響が生じていた。
【０００４】
そこで、本発明は、印刷部での転写媒体の位置ずれを検出し、これを自動的に解除することができ、これにより印刷不良の発生を防止することができ、印刷効率の向上なども図れる定期券発行装置を提供することを目的とする。
【０００５】
【課題を解決するための手段】
本発明の定期券発行装置は、定期券を印刷発行する定期券発行装置において、帯状の転写媒体を印刷部へ送る転写媒体送り手段と、この転写媒体送り手段により送られ前記印刷部を通過した前記転写媒体を受取る転写媒体受取手段と、前記印刷部において、前記転写媒体上に対して接離自在に設けられ、印刷時に前記転写媒体を介して定期券としての被転写媒体上に接触して、前記転写媒体の転写剤を前記被転写媒体上に転写することにより、所定の券面情報を印刷する印刷ヘッドと、前記転写媒体送り手段により送られる前記転写媒体の送り方向に対する直交方向で、前記転写媒体の両端部内側と対応する各部位にそれぞれ設けられ、前記転写媒体の両端部の位置に応じた信号を出力する２つの第１のセンサと、この２つの第１のセンサの手前側に設けられ、前記転写媒体が存在するか否かを検出する１つの第２のセンサと、前記２つの第１のセンサおよび前記１つの第２のセンサの各出力に基づき前記転写媒体の送り方向に対する直交方向の位置ずれを検出する検出手段と、前記転写媒体を空送りする空送り量をあらかじめ記憶している空送り量記憶手段と、前記検出手段により前記転写媒体の位置ずれが検出されると、前記印刷ヘッドを前記転写媒体上から離間させるとともに、その後、前記空送り量記憶手段に記憶されている空送り量だけ前記転写媒体を空送りするように前記転写媒体送り手段および転写媒体受取手段を制御する制御手段とを具備している。
【０００６】
また、本発明の定期券発行装置は、定期券を印刷発行する定期券発行装置において、帯状の転写媒体を印刷部へ送る転写媒体送り手段と、この転写媒体送り手段により送られ前記印刷部を通過した前記転写媒体を受取る転写媒体受取手段と、前記印刷部において、前記転写媒体上に対して接離自在に設けられ、印刷時に前記転写媒体を介して定期券としての被転写媒体上に接触して、前記転写媒体の転写剤を前記被転写媒体上に転写することにより、所定の券面情報を印刷する印刷ヘッドと、前記転写媒体送り手段により送られる前記転写媒体の送り方向に対する直交方向で、前記転写媒体の両端部内側と対応する各部位にそれぞれ設けられ、前記転写媒体の両端部の位置に応じた信号を出力する２つの第１のセンサと、この２つの第１のセンサの手前側に設けられ、前記転写媒体が存在するか否かを検出する１つの第２のセンサと、前記２つの第１のセンサおよび前記１つの第２のセンサの各出力に基づき前記転写媒体の送り方向に対する直交方向の位置ずれを検出する検出手段と、この検出手段により前記転写媒体の位置ずれが検出されると、前記印刷ヘッドを前記転写媒体上から離間させるとともに、その後、前記転写媒体を前記検出手段が位置ずれを検出しなくなるまで空送りするように前記転写媒体送り手段および転写媒体受取手段を制御する制御手段とを具備している。
【０００９】
【作用】
本発明によれば、印刷部における転写媒体の送り方向に対する直交方向の位置ずれを、転写媒体の送り方向に対する直交方向の両端部内側に設けられた２つのセンサと、この２つのセンサの手前側に設けられ転写媒体が存在するか否かを検出する１つのセンサとを用いて検出し、この転写媒体の位置ずれが検出されると、印刷ヘッドを転写媒体上から離間させるとともに、その後、あらかじめ記憶されている空送り量だけ転写媒体を空送りするように制御するか、位置ずれを検出しなくなるまで空送りするように制御することにより、印刷部での転写媒体の位置ずれを検出し、これを自動的に解除することができる。これにより、印刷不良の定期券の発行を防止することができ、さらに、機器のノンストップ化が図れ、定期券の発行効率や稼働率の向上が図れる。
【００１０】
【実施例】
以下、本発明の一実施例について図面を参照して説明する。
図５、図６は、本発明に係る定期券発行装置１の外観構成を概略的に示すものである。すなわち、この定期券発行装置１は、購入情報の一部が入力される条件設定操作部２、複数の発駅および着駅を設定するための駅名釦と、経由駅を設定するための経由釦とが縦方向、横方向に配列表示されたタッチパネル内蔵のカラー液晶表示器によって構成される経由発着駅設定部３，４、入力手順あるいは条件設定操作部２、経由発着駅設定部３，４によって入力された発行情報やエラー内容などを表示するカラー液晶表示器によって構成される表示部５、発行日付を表示する発行日付表示部６、購入客によって購入情報が記載された定期券申込用紙を挿入する申込用紙挿入口７、発行された定期券が排出されたり、旧券（旧定期券）を挿入する発行挿入口８が設けられている。
【００１１】
図７は、上記した定期券発行装置１の定期券発行部の構成を概略的に示すものである。すなわち、本体３１の図面に対し上面左側（前面側）には、前記発行挿入口８が設けられている。
【００１２】
本体３１内の上部には、発行する定期券に対する印刷を行なうとともに、その定期券の磁気記録部に対して磁気記録を行なう発行処理部３２が設けられ、さらに、本体３１内の下部には、未印刷および未磁気記録状態の券紙（被転写媒体）Ｓが収納されている券紙収納部３３が設けられている。
【００１３】
券紙収納部３３には、それぞれ所定枚数の券紙Ｓ，…が収納されている２つの券紙ホッパ３４，３５が上下方向に設けられている。券紙ホッパ３４内の券紙Ｓは、給紙ローラ３６によって１枚ずつ供給され、取出しローラ３７，３８によって取出し搬送路３９を水平方向に搬送され、垂直搬送路４０に導かれるようになっている。
【００１４】
券紙ホッパ３５の券紙Ｓは、給紙ローラ４１によって１枚ずつ供給され、取出しローラ４２，４３によって取出し搬送路４４を水平方向に搬送され、垂直搬送路４０に導かれるようになっている。
【００１５】
垂直搬送路４０の他端は、発行処理部３２内の主搬送路４７と合流部４８で合流していて、券紙ホッパ３４あるいは３５から垂直搬送路４０に導かれた券紙Ｓは上方へ搬送され、発行処理部３２内の主搬送路４７に導かれるようになっている。
【００１６】
発行処理部３２内の主搬送路４７の一端は、前記発行挿入口８に連結され、他端はスイッチバック部４９に連結されている。主搬送路４７の合流部４８の後方には、有効期間、発着駅、経由、発行駅などの発行内容を黒色で印刷する黒色印刷部５０と、発行内容の一部を赤色で印刷する赤色印刷部５１とが設けられている。
【００１７】
赤色印刷部５１は、定期券上の印刷内容を黒色で印刷した部分よりも強調したい場合に用いるものであり、たとえば、学割り定期券の場合の「学」、あるいは、バスなどで目視確認用に有効期限が赤色で印刷されるようになっている。
【００１８】
スイッチバック部４９と合流部４８との間には、副搬送路５２が設けられている。副搬送路５２上には、旧券（旧定期券）に対し入鋏を行なう旧券入鋏部５３、券紙Ｓの裏面の磁気記録部に磁気情報（有効期間、発着駅、経由、発行駅など）を記録する書込ヘッド（磁気ヘッド）５４、書込ヘッド５４で書込んだ券紙Ｓの裏面の磁気記録部の磁気情報を読取ったり、旧券の磁気記録部の磁気情報を読取る読取ヘッド（磁気ヘッド）５５が設けられている。
【００１９】
黒色印刷部５０の後方で主搬送路４７と分岐し、副搬送路５２の一部を介してスイッチバック部４９で再び主搬送路４７に合流する黒単色バイパスとしての分岐搬送路５６が設けられている。
【００２０】
発行された定期券は、合流部４８から発行挿入口８へ搬送されるとともに、発行挿入口８から挿入された旧券が合流部４８に搬送される搬送路５７が設けられている。
【００２１】
スイッチバック部４９には、旧券を主搬送路４７から分岐搬送する搬送路５９が設けられている。搬送路５９の一端の搬送先には、図示しない回収箱が設けられていて、ここに旧券が回収されるようになっている。
【００２２】
合流部４８の近傍（図面に対し左側部）には、種々の券（一括券、回収券、エラー券など）を回収する回収箱６０が設けられている。
合流部４８の近傍、合流部４８と黒色印刷部５０との間の主搬送路４７と副搬送路５２の合流部の近傍、主搬送路４７から分岐搬送路５６への分岐部の近傍、スイッチバック部４９の搬送路５９への分岐部の近傍には、それぞれゲート６１，６２，６３，６４が設けられている。
【００２３】
ゲート６１は、副搬送路５２で搬送されてきた券紙Ｓを、搬送路５７で搬送して発行挿入口８へ導き、副搬送路５２で搬送されてきた一括券、回収券、エラー券を回収箱６０へ導くように、切換えるものである。
【００２４】
ゲート６２は、合流部４８から搬送されてきた券紙Ｓを、主搬送路４７で搬送して黒色印刷部５０へ導き、合流部４８から搬送されてきた旧券を、副搬送路  ５２で搬送して読取ヘッド５５へ導くように、切換えるものである。
【００２５】
ゲート６３は、主搬送路４７で搬送される券紙Ｓを、そのまま主搬送路４７で搬送して赤色印刷部５１へ導くか、分岐搬送路５６へ導くかを切換えるものである。
【００２６】
ゲート６４は、主搬送路４７で搬送される券紙Ｓをスイッチバック部４９に導き、主搬送路４７で搬送される旧券をスイッチバック部４９へ導くか搬送路５９へ導くかを切換えるものである。
【００２７】
なお、各搬送路には、複数の光学的なセンサが設けられており、これらにより搬送異常などが検知されるようになっている。
黒色印刷部５０および赤色印刷部５１は、たとえば、図１に示すように構成されている。すなわち、印刷部にはプラテンローラ９１が設けられていて、このプラテンローラ９１上を主搬送路４７で搬送される券紙Ｓが通過するようになっている。
【００２８】
プラテンローラ９１上には、熱転写形の印刷ヘッド（サーマルヘッド）９２が設けられている。印刷ヘッド９２は、プランジャソレノイド９３の動作によって、軸９０を支点として回動することにより、プラテンローラ９１上に接離自在に構成されており、印刷時は、券紙Ｓおよび転写リボン９４を介してプラテンローラ９１上に接触し、非印刷時はプラテンローラ９１（転写リボン９４）上から離間するようになっている。
【００２９】
転写リボン９４は、帯状の転写媒体であり、繰出し軸９５に巻回支持されていて、案内ローラ９６，９７を介してプラテンローラ９１上に導かれ、その後、案内ローラ９８，９９を介して巻取軸１００に導かれ、巻取られるようになっている。プラテンローラ９１および巻取軸１００は、駆動ベルト１０１，１０２を介してパルスモータなどのリボン駆動用モータ１０３によって駆動されるようになっている。
【００３０】
なお、プラテンローラ９１の前後に設けられた案内部材１０４，１０５は、搬送される券紙Ｓを案内するためのものであり、これに案内され搬送されてくる券紙Ｓがプラテンローラ９１上と転写リボン９４との間に導かれるようになっている。
【００３１】
プラテンローラ９１（印刷ヘッド９２）の前後で、転写リボン９４の搬送経路、たとえば、案内ローラ９６，９７間および案内ローラ９８，９９間の各搬送経路には、それぞれセンサＰ１，Ｐ２，Ｐ３が設けられている。すなわち、図２に示すように、案内ローラ９６，９７間の搬送経路には、転写リボン９４の搬送方向と直交方向のほぼ中央部よりもやや一端側（図面に対して上端側）にずれた位置にセンサＰ１が設けられている。センサＰ１は、搬送経路に転写リボン９４が存在するか否かを検知するためのものである。
【００３２】
また、案内ローラ９８，９９間の搬送経路には、転写リボン９４の搬送方向と直交方向の両端部内側にそれぞれセンサＰ２，Ｐ３が設けられている。センサ  Ｐ２，Ｐ３は、プラテンローラ９１上における転写リボン９４の搬送方向と直交方向の位置ずれを検出するためのもので、転写リボン９４の両端部の内側で、各端部から所定距離Ｌの位置にそれぞれ設けられている。
【００３３】
この場合、たとえば、図３に示すように、転写リボン９４の位置が正常な場合、センサＰ２，Ｐ３が転写リボン９４の端部を検知し、転写リボン９４の位置がずれると、それにしたがってセンサＰ２，Ｐ３が検知状態、非検知状態となるように配設されている。
【００３４】
なお、センサＰ１〜Ｐ３は、たとえば、光源と受光素子とからなる光学的なセンサであり、光源と受光素子との間を転写リボン９４が搬送されるようになっている。
【００３５】
ここに、センサＰ２，Ｐ３が設置される位置の距離Ｌは、転写リボン９４の搬送方向と直交方向の幅Ｗが例えば７０ｍｍであるとすると、２ｍｍに設定されている。そして、センサＰ２，Ｐ３において、光源から受光素子へ照射される光は、たとえば、直径が約４ｍｍの円状スポット光に設定されている。
【００３６】
次に、上記のように構成された定期券発行装置１の全体的な制御系統について図８を参照して説明する。すなわち、装置全体の制御を司る制御手段としての  ＣＰＵ２０には、制御プログラムや文字パターンなどが記憶されているとともに、種々のデータが記憶されるメモリ２１、前記申込用紙挿入口７に対応して設けられている氏名読取部２２と氏名転写部２３、前記発行挿入口８に対応して設けられている図７に示した定期券発行部２４、売上データなどをジャーナルテープ（図示しない）に印刷するジャーナルプリンタ２５、定期券発行に関する種々の情報、たとえば、売上データあるいは運賃データなどが記憶されている磁気ディスク（図示しない）を扱う磁気ディスク装置２６、図示しない通信回路を介してホストコンピュータなどの外部装置と接続される通信制御部２７、前記条件設定操作部２、経由発着駅設定部３，４、および、表示部５が接続されている。
【００３７】
氏名読取部２２は、ＣＣＤ形イメージセンサなどを主体に構成され、前記申込用紙挿入口７から挿入される定期券申込用紙上の（購入者による自筆の）氏名情報を読取り、画素データ（イメージパターン）に変換する。氏名転写部２３は、この変換されたイメージパターン（氏名情報）をそのまま券紙Ｓ上に転写するものである。
【００３８】
次に、定期券発行部２４の制御系統について図９を参照して説明する。すなわち、全体的な制御を司る制御手段としてのＣＰＵ７０には、制御プログラムなどが記憶されているとともに、種々のデータが記憶されるメモリ７１、前記各搬送路などの搬送系を駆動する搬送系駆動機構７２を制御する駆動回路７３、前記読取ヘッド５５の読取り内容を再生する再生回路７４、前記書込ヘッド５４を駆動する駆動回路７５、前記給紙ローラ３６および取出しローラ３７などの券紙ホッパ３４に対する取出し機構７６を駆動する駆動回路７７、前記給紙ローラ４１および取出しローラ４２などの券紙ホッパ３５に対する取出し機構７８を駆動する駆動回路７９、前記旧券入鋏部５３を駆動する駆動回路８０、前記黒色印刷部  ５０を駆動制御する印刷制御回路８１、前記赤色印刷部５１を駆動制御する印刷制御回路８２、前記ＣＰＵ２０と接続されるインタフェース８３、前記ゲート  ６１，６２，６３，６４を駆動する駆動回路８４、および、前記各センサＰ１〜Ｐ３が接続されている。
【００３９】
なお、ＣＰＵ７０は、図示しない搬送異常検知用の各センサからの検知信号に応じて、各搬送路でのジャムなどの搬送異常を検知したり、各印刷部５０，５１からの異常検知信号に応じて異常を検知し、それらの検知結果をＣＰＵ２０へ出力するようになっている。
【００４０】
ここで、上記のような構成において、定期券発行部２４の発行動作について説明しておく。まず、券紙ホッパ３４から給紙ローラ３６によって給紙された券紙Ｓは、取出し搬送路３９、垂直搬送路４０、および、主搬送路４７を介してスイッチバック部４９に導かれる。搬送される券紙Ｓは、主搬送路４７を通過する際に、黒色印刷部５０で黒色の文字情報などが印刷されるとともに、赤色印刷部  ５１で赤色の文字情報などが印刷され、その後、スイッチバック部４９に導かれる。
【００４１】
ただし、黒色の印刷だけの場合、券紙Ｓは、黒色印刷部５０での印刷がなされた後、ゲート６３が動作することにより、分岐搬送路５６を介してスイッチバック部４９に導かれる。
【００４２】
さて、各印刷部５０，５１における印刷時、転写リボン９４の位置ずれが生じていないか否かは、センサＰ２，Ｐ３の状態を図３のセンサ状態図に基づきチェックすることにより、常時検出可能となっている。すなわち、たとえば、プラテンローラ９１上において、図４（ａ）に示すような転写リボン９４の位置ずれが生じた場合、一方のセンサＰ２のみが検知状態となり、他方のセンサＰ３は非検知状態となる。したがって、この場合、ＣＰＵ７０は、図３のセンサ状態図に基づき、転写リボン９４に位置ずれが生じたものと判断する。
【００４３】
こうして、転写リボン９４の位置ずれを検出すると、ＣＰＵ７０は、図１のソレノイド９３を駆動することにより、印刷ヘッド９２をプラテンローラ９１（転写リボン９４）上から離間させるとともに、リボン駆動用モータ１０３を駆動することにより、図４（ａ）〜（ｃ）に状態変化を示すように、転写リボン９４の空送りを行なうことにより、転写リボン９４を正常な位置（図４ｃの状態）に戻す。
【００４４】
この場合、転写リボン９４を空送りする量は、たとえば、あらかじめメモリ  ７１内に固定値として所定の空送り量（実際はリボン駆動用モータ１０３の駆動時間）を記憶しておき、その空送り量だけ転写リボン９４を空送りしてもよく、あるいは、センサＰ２，Ｐ３が転写リボン９４の位置ずれを検出しなくなるまで、転写リボン９４を空送りするようにしてもよい。
【００４５】
スイッチバック部４９に導かれた印刷済みの券紙Ｓは、ここで搬送方向が逆転されて副搬送路５２に導かれ、搬送される。この搬送の際、書込ヘッド５４によって、その券紙Ｓの裏面の磁気記録部に磁気情報が書込まれ、その後、その記録内容が確認用の読取ヘッド５５によって読取られ、ＣＰＵ７０によってチェックされる。
【００４６】
このチェックの結果、読取ヘッド５５による読取り結果が正しかった場合、副搬送路５２からの券紙Ｓは、ゲート６１の動作によって搬送路５７に導かれ、搬送路５７によって発行挿入口８に搬送され、定期券として発行挿入口８から排出される。上記チェックの結果、読取り結果が正しくなかった場合、副搬送路５２からの券紙Ｓは、ゲート６１の動作によって回収箱６０へ導かれる。
【００４７】
また、発行挿入口８から挿入された旧券は、搬送路５７および副搬送路５２によって搬送され、その裏面の磁気記録部の磁気情報が読取ヘッド５５によって読取られる。その後、旧券は旧券入鋏部５３で入鋏され、ゲート６４の動作によって搬送路５９を搬送され、図示しない回収箱に回収される。
【００４８】
次に、上記のような構成において、定期券の発行動作について説明する。まず、購入客からの定期券申込用紙による定期券の購入申込みにより、係員は、経由発着駅設定部３，４によって発駅、着駅、利用区間、経由駅などの発行条件を入力する。この際、入力された発駅、着駅、経由駅に対応する駅名釦は表示色が変更される。
【００４９】
次に、係員は、発駅、着駅、経由駅以外の購入申込み内容に基づく発行条件  （たとえば、通用期間、性別、年齢、発行年月日などの情報）を条件設定操作部２を用いて入力する。
【００５０】
また、係員は、定期券申込用紙を申込用紙挿入口７に挿入することにより、氏名読取部２２によって定期券申込用紙に記載された氏名情報の読取処理が行なわれる。すると、ＣＰＵ２０は、上記各入力データに応じた発行内容および料金などを表示部５に表示する。
【００５１】
また、ＣＰＵ２０は、上記入力データに基づきメモリ２１から文字パターンを読出し、この文字パターンと氏名読取部２２によって読取った購入客による自筆の氏名情報に対応する画素データとにより、対応する定期券の表面の印刷データ、つまり券面データを編集作成し、表示部５に表示する。
【００５２】
そして、表示部５に表示された発行内容が満足するものであった場合、係員はスタートキー（図示しない）を投入することにより発行指示を入力する。すると、ＣＰＵ２０は、定期券発行部２４を駆動制御することにより、上記発行内容を磁気記録するとともに、氏名転写部２３による購入者の氏名情報のイメージパターンに基づいた氏名転写と、編集作成した券面データの印刷を券紙Ｓ上に行ない、定期券として発行挿入口８から排出する。
【００５３】
また、ＣＰＵ２０は、算出した定期券の料金も表示部５に表示する。この結果、係員は、購入客から表示部５に表示されている料金を受取り、発行された定期券を購入客に渡す。
【００５４】
なお、ＣＰＵ２０は、このときの発行記録を磁気ディスク装置２６によって磁気ディスクに記憶するとともに、ジャーナルプリンタ２５によってジャーナルテープに印字する。
【００５５】
次に、旧券を用いた継続定期券の発行を行なう場合について説明する。この場合、旧券による発行（継続）を指示するとともに、旧券を発行挿入口８に挿入する。すると、旧券は定期券発行部２４内に受入れられ、旧券の裏面の磁気記録部に記録されている発行条件としての発駅、着駅、経由駅、氏名などが読取られ、ＣＰＵ２０に出力される。これにより、ＣＰＵ２０は、表示部５にその内容と標準の有効期間とによる発行内容と料金とを表示する。その後、発行日付、月数などの発行内容を確認後、発行の指示を入力する。この際、条件設定操作部２を用いて変更や追加などを行なってもよい。上記発行指示の入力により、前記同様に定期券発行部２４が動作して定期券が発行され、その定期券が発行挿入口８から排出される。
【００５６】
以上説明したように、上記実施例によれば、印刷時、プラテンローラ９１上  （印刷部）における転写リボン９４の送り方向に対する直交方向の位置ずれを、転写リボン９４の送り方向に対する直交方向の両端部内側に設けた２つのセンサＰ２，Ｐ３を用いて検出し、この転写リボン９４の位置ずれが検出されると、印刷ヘッド９２を転写リボン９４（プラテンローラ９１）上から離間させるとともに、その後、転写リボン９４を所定量空送りすることにより正常位置に戻すよう制御することによって、印刷部での転写リボン９４の位置ずれを検出し、これを自動的に解除することができる。これにより、定期券発行装置においては、印刷不良の定期券の発行を防止することができ、さらに、機器のノンストップ化が図れ、定期券の発行効率や稼働率の向上が図れる。
【００５７】
なお、前記実施例では、転写リボン９４の両端部内側に設けた２つのセンサ  Ｐ２，Ｐ３を用いて転写リボン９４の位置ずれを検出し、その結果に基づき転写リボン９４を所定量空送りすることにより、転写リボン９４を正常な位置に戻す場合について説明したが、これに限らず、転写リボン９４の両端部内側に設けた２つのセンサＰ２，Ｐ３を用いて転写リボン９４の送り方向に対する直交方向の位置ずれ量を検出し、この検出した位置ずれ量に応じた量だけ転写リボン９４を空送りすることにより、転写リボン９４を正常な位置に戻すよう制御することによっても、前記実施例と同様な作用効果が得られるとともに、さらに、転写リボン９４の無駄な消費を軽減することができる。
【００５９】
【発明の効果】
以上詳述したように本発明によれば、印刷部での転写媒体の位置ずれを検出し、これを自動的に解除することができ、これにより印刷不良の発生を防止することができ、印刷効率の向上なども図れる定期券発行装置を提供できる。
【図面の簡単な説明】
【図１】本発明の一実施例に係る定期券発行装置における黒色印刷部および赤色印刷部の構成を概略的に示す側面図。
【図２】転写リボンの搬送経路に対するセンサ配置例を模式的に示す平面図。
【図３】転写リボンの状態に対する各センサの状態を示す図。
【図４】位置ずれの生じた転写リボンを正常位置に戻す動作を説明する図。
【図５】定期券発行装置の外観を示す正面図。
【図６】定期券発行装置の外観を示す上面図。
【図７】定期券発行部の構成を概略的に示す側面図。
【図８】定期券発行装置の全体的な制御系統を示すブロック図。
【図９】定期券発行部の制御系統を示すブロック図。
【符号の説明】
２０……ＣＰＵ、２１……メモリ、２４……定期券発行部、３２……発行処理部、３３……券紙収納部、Ｓ……券紙（被転写媒体）、４７，５２……搬送路、５０……黒色印刷部、５１……赤色印刷部、７０……ＣＰＵ、７１……メモリ、８１，８２……印刷制御部、９１……プラテンローラ、９２……印刷ヘッド（サーマルヘッド）、９３……ソレノイド、９４……転写リボン（転写媒体）、９５……繰出し軸、９６〜９９……案内ローラ、１００……巻取軸、１０１，１０２……駆動ベルト、１０３……リボン駆動用モータ、Ｐ１〜Ｐ３……センサ。
【図１】
0003655356.tif 000002
【図２】
0003655356.tif 000003
【図３】
0003655356.tif 000004
【図４】
0003655356.tif 000005
【図５】
0003655356.tif 000006
【図６】
0003655356.tif 000007
【図７】
0003655356.tif 000008
【図８】
0003655356.tif 000009
【図９】
0003655356.tif 000010